(57)【要約】      （修正有）【課題】スタイリングする毛髪の束全体に亘って均一なスタイリング効果を上げることができるスタイリング及びカール用ヘアブラシを提供する。【解決手段】細長い管状本体６内部の長手方向に亘る中空部分をコレクタ状のエアチャネル７となし、その開口端部から温風流１７を流入させ、また該中空部分にはエアチャネル７と管状本体６の外部ケーシング表面とを繋ぐ排気口９を設ける。管状本体６の周囲に複数の剛毛列Ｂ１−Ｂ３を、該剛毛列Ｂ１−Ｂ３の手前の入口側に気流ディバイダー３を、それぞれ設ける。該ディバイダーを通過した温風流１７は気流１８に分割されて管状本体６のエアチャネル７に流入し、次いで管状本体６の外部ケーシング表面上を流れる気流となる。ブラシ１の剛毛列Ｂ１−Ｂ３が互いに離間して配置され、且つ、半径方向に折りたたまれた形状の気流ガイド要素Ｌ１−Ｌ３と互い違いに配置されて、少なくとも１つの流路１２，１６を形成している。【選択図】図２
2004181241.tif 000002
【特許請求の範囲】
【請求項１】
細長い管状本体（６）を有し、管状本体（６）内部の長手方向に伸びる空洞が熱リザーバとして機能するエアチャネル（７）となっており、該中空部分の開口端部から温風流（１７）が流入し、また該中空部分にはエアチャネル（７）と管状本体（６）の外部ケーシング表面を接続する排気口（９）が設けられ、管状本体の周囲には複数の剛毛列（Ｂ１−Ｂ３）が、該剛毛列（Ｂ１−Ｂ３）の手前の入口側には気流ディバイダー（３）が、それぞれ設けられ、該ディバイダーを通過した温風流（１７）が気流（１８）に分割されて管状本体（６）のエアチャネル（７）に流入し、次いで管状本体（６）の外部ケーシング表面に沿って流れるスタイリング及びカール用ヘアブラシであって、ブラシ（１）の剛毛列（Ｂ１−Ｂ３）が互いに離間しており、各剛毛列（Ｂ１−Ｂ３）の間に、放射方向側が閉じ、少なくとも１つの隣接する剛毛列（Ｂ１，Ｂ２，Ｂ３）の方向に開いているか又は開口部を有して、少なくとも１つの流路（１２，１６）を形成する気流ガイド要素（Ｌ１−Ｌ３）が設けられていることを特徴とするブラシ。
【請求項２】
気流ガイド要素（Ｌ１−Ｌ３）の放射方向外側を閉じる閉塞部（１３）が、それぞれ１つの剛毛列（Ｂ１−Ｂ３）が配置された溝を有するスリーブとなっていることを特徴とする、請求項１に記載のブラシ。
【請求項３】
気流ガイド要素（Ｌ１−Ｌ３）の外側の閉塞部（１３）が、管状本体（６）と同心状に設けられていることを特徴とする、請求項２に記載のブラシ。
【請求項４】
気流ガイド要素（Ｌ１−Ｌ３）の外側を閉じる各閉塞部（１３）が、ウェブ（１４）を介して管状本体（６）を包囲するスリーブ（１１）と接続し、該スリーブに固定されており、剛毛列（Ｂ１−Ｂ３）が該スリーブ（１１）を貫通していることを特徴とする、請求項２又は３に記載のブラシ。
【請求項５】
気流ガイド要素（Ｌ１−Ｌ３）により形成された流路（１２，１６）の一領域がＵ字型の断面を有し、管状本体（６）の外側の湾曲に適応していることを特徴とする、請求項１ないし４のいずれか１項に記載のブラシ。
【請求項６】
気流ガイド要素（Ｌ１−Ｌ３）により形成された流路が、ブラシ（１）の自由端側端部で閉じていることを特徴とする、請求項１ないし５のいずれか１項に記載のブラシ。
【請求項７】
剛毛列及び気流ガイド溝が螺旋状に配置されていることを特徴とする、請求項１ないし６のいずれか１項に記載のブラシ。
【請求項８】
ヘアブラシの一部が把持部に設けられた温風送風器であることを特徴とする、請求項１ないし７のいずれか１項に記載のブラシ。
【請求項９】
温風送風器を備える手持ち型装置にヘアブラシ（１）を付属品として取り付けることを可能にする連結部（２）を備えることを特徴とする、請求項１ないし７のいずれか１項に記載のブラシ。
【発明の詳細な説明】
【技術分野】
【０００１】
本発明は、細長い管状の本体を有するスタイリング及びカール用ヘアブラシに関する。該本体内部の長手方向に亘る中空部分は熱を蓄えるためのエアチャネルとなっており、その開口端部から温風流が流れ込む。また該中空部分には、エアチャネルと管状本体の外部ケーシング表面とを繋ぐ排気口が設けられている。管状本体の周囲には、複数の剛毛列が、該剛毛列の手前の入口側には気流ディバイダーがそれぞれ設けられており、該ディバイダーを通過した温風流は管状本体のエアチャネルに流入する気流に分割され、次いで管状本体の外部ケーシング表面上を流れる気流となる。
【背景技術】
【０００２】
このようなヘアブラシにより、温風流を介して供給される熱の援助を受けながらヘアスタイリングを行うことができる。このようなヘアブラシは、互いに均等な間隔で設けられ、細長い管状本体から放射状に突出する剛毛の列を複数備える。剛毛の列は、合成物質又はスチールからなる個々の剛毛要素、例えば剛毛の房から形成することができる。１剛毛列は管状本体の長手方向全体に亘って配置されている。各剛毛列の間には管状本体を穿孔する開口部が設けられており、管状本体の内部エアチャネルに温風流が通るとき、該開口部から温風が排出される。ヘアスタイリングを行うためにさらに多くの熱を供給したいが、剛毛の密度を大きくするために管状本体にそれ以上の開口部を設けたくない場合のために、管状本体の外部ケーシングに沿った気流も供給されるようなスタイリング及びカール用ヘアブラシが開発された。このために、このようなヘアブラシは、ヘアブラシを流れる温風流の一部を管状本体の外側に向けるための気流ディバイダーを備える。この気流は、個々の剛毛又は剛毛列の取り付け領域を通って流れる。
【０００３】
しかしながら、このようなスタイリング及びカール用ヘアブラシを使用するとき、外部気流が流出する排出口近傍の毛髪が、これら排出口から離れた位置の毛髪よりうまくスタイリングされることが明らかである。この理由は、ヘアブラシの使用時に排気口近傍の毛髪が該排気口周囲に巻き付き、これら排気口から流出する気流が毛髪に接するのに対し、それよりも離れて位置する毛髪又は毛髪の束への気流の経路が毛髪により遮断されてしまうためである。一回のヘアスタイリングで、このようなヘアブラシの有効な長さに亘って異なるスタイリング結果を達成することが所望される場合もあるとはいえ、有効な長さ全体に亘って同一のスタイリング効果を上げることができるスタイリング及びカール用ヘアブラシが供給されることが好ましい。
【発明の開示】
【発明が解決しようとする課題】
【０００４】
上述の先行技術を基礎として、本発明は、少なくとも上述した先行技術の欠点の大部分を回避した、同種のスタイリング及びカール用ヘアブラシを提供するという課題に取り組んだものである。
【課題を解決するための手段】
【０００５】
この課題を解決するために、本発明では、ブラシの剛毛列を互いに離間して配置し、それぞれの剛毛列の間に、半径方向に折りたたまれた形状の（つまりヘアブラシの放射方向側に閉じている）気流ガイド要素を配置し、該気流ガイドの各々を、少なくとも１つの隣接する剛毛に向かって開口しているか又は該剛毛側に開く開口部を有する１つの気流チャネルを少なくとも形成するように構成する。
【０００６】
本スタイリング及びカール用ヘアブラシでは、互いに対して一定の間隔を空けて剛毛列を配置する。実施形態の範囲に含まれる一剛毛列は単一の列から形成されてよいが、本明細書の範囲に含まれる一剛毛列は複数の平行な剛毛列から形成されてもよく、又は管状本体の円周上に、互いに離間した複数のグループに分けて構成してもよい。それぞれの剛毛列の間には、管状本体の長手方向全体に亘って該剛毛列に平行に、気流ガイド要素が配置される。各気流ガイド要素は放射方向に閉じている気流チャネルを形成する。この気流チャネルは放射方向に閉じているが、少なくとも１つの隣接する剛毛列の方向に開口しているか、又は該方向に開く開口部を有している。気流ガイド要素の放射方向側が閉じていることにより、管状本体から一定の間隔を空けて保持されるガイド板が形成され、よって確実にその下を気流が通る。各気流ガイド要素のガイド板は、ヘアブラシを使用するときに、部分的に筒状の気流をガイドするためだけでなく、気流ガイド要素により形成された流路を開放した状態に保持する目的のためにも機能する。ブラシの使用時、スタイリングする毛髪がきつく巻きついたとしても、そのような側方で開口する気流ガイド要素の中へ毛髪が引き込まれることはない。管状本体の周りには、上記のような気流ガイド要素を複数配置する。従って、このブラシを使用することにより、毛髪が剛毛列の根元に巻きつくことは起こりえない。つまり、気流ガイド要素によって、流路が適切に形成されるだけでなく、剛毛列の取り付け部も開放された状態に保たれる。この理由により、ヘアブラシ使用時に剛毛列に直接作用する筒状の気流が管状本体の外部ケーシング表面から一定の間隔に保持された毛髪の下側に沿って流れることができ、それによって運ばれる熱を毛髪に伝えることができる。１気流ガイド要素によって形成された流路に運ばれる、筒状のサブストリームは、いずれの場合も、ブラシの有効表面の自由端領域の毛髪に十分な熱が流入するように熱リザーバとして機能する。１実施形態では、気流ガイド要素によって形成された流路の自由端又は自由端近傍は閉じており、それにより発生する渦により、気流から毛髪に伝わる熱が増幅される。
【０００７】
上記に加え、及びこの筒状気流の補助となるように、ブラシの管状本体の長手方向に沿う、背面側の排気口においても温風は管状本体内部から流出する。該排気口において、筒状気流は、スタイリングする毛髪の方向に曲げられるだけでなく、発生した乱流により、剛毛列の領域における熱伝達を向上させる。
【０００８】
好適な実施形態では、気流ガイド要素はアルミニウム等の金属製である。ブラシの使用時には、これら要素が、気流ガイド要素の外側から該要素と接触する毛髪に放出される熱を蓄える。結果として、気流ガイド要素は、筒状気流又は筒状サブストリームをガイドするだけでなく、熱板に類似の要素を形成する機能も有する。
【０００９】
気流ガイド要素から外側へ向かって放射状に突出している閉塞部により、好適にはそれぞれに１列の剛毛が配置された溝を有するスリーブが形成される。気流ガイド要素に異なる構成を与えることも可能である。１構成では、そのような気流ガイド要素は１つの隣接する剛毛列の方向に実質的に開口しており、構成全体がＯ字形状を形成し、管状本体の外部ケーシング表面の湾曲に対して湾曲している。気流ガイド要素を、放射方向に閉じていながら、両隣の剛毛列に対して開口する構成とすることもできる。この場合、このような気流ガイド要素は断面がＴ字型となるように形成する。従ってこのような構成の気流ガイド要素は２つの流路を形成する。
【００１０】
スタイリング及びカール用ヘアブラシの剛毛列と気流ガイド要素は、管状本体の長手方向に沿って直線状に伸びるように形成することもできる。しかしながら、これらを管状本体を螺旋状に取り巻くように配置することもできる。
【００１１】
スタイリング及びカール用ブラシのハンドル温風送風器を設けてもよい。また、このヘアブラシに連結部を形成し、温風送風器を備えるハンドルに付属品としてブラシを取り付けることができるようにしてもよい。また、その後温風送風器を他のヘアスタイリング用付属品に使用してもよい。
【発明を実施するための最良の形態】
【００１２】
以降、添付図を参照する実施例と関連させて本発明を説明する。
【実施例１】
【００１３】
実施例に示すスタイリング及びカール用ヘアブラシ１は、手持ち型の温風生成器の付属品として形成されており、ヘアブラシ１を温風送風器を含む把持部（図示せず）に接続するのに使用される連結部２を備える。連結部２は環状体に形成され、前記把持部に取り付けることができる。ヘアブラシ１は連結部２に隣接する気流ディバイダー３をさらに備えており、それにより、連結部２に導入された温風流から環状に配置された複数の開口部４を介して気流を筒状に流出させることができる。この筒状の気流はヘアブラシ１の長手方向に沿って枝分かれしたものである。気流ディバイダー３のヘアブラシ１の自由端側にはブラシ部５が隣接している。図２の断面図に示すように、ブラシ部５は管状チューブ６を備え、該チューブ内部の中空部分がエアチャネル７を形成している。チューブ６の３つの剛毛列Ｂ１，Ｂ２及びＢ３には、互いに平行に配置された剛毛の束が固定されている。剛毛列はヘアブラシ１の長手方向に亘っている。図１に示すヘアブラシ１には少数の剛毛束しか示していない。すなわち、ブラシ部５のケーシング表面から開口部８を介して出ているこれらの束を一部の領域においてのみ図示した。チューブ６のエアチャネル７は、細長い穴の形状に形成された複数の排気口９を介してブラシ部５のケーシング表面に接続している。チューブ６はテーパー１０を形成する自由端側で閉じている。
【００１４】
チューブ６の上に取り付け、ねじることにより固定的に該チューブと接続させたスリーブ１１が図示されており、該スリーブは３つの気流ガイド要素Ｌ１，Ｌ２，Ｌ３を有している。従って、チューブ６に接するスリーブ１１の内部はチューブ６に対してチューブ６と同じ形状のケーシングとなり、よって排気口９はスリーブ１１をも貫通し、またスリーブ１１は剛毛束を通す開口部８を有する。
【００１５】
次に、気流ガイド要素Ｌ１についてさらに詳細に説明する。他の２つの気流ガイド要素Ｌ２及びＬ３も同様に構成されている。気流ガイド要素Ｌ１は湾曲したＵ字型の流路１２を取り囲んでいる。該流路は、気流ガイド要素Ｌ１の外側の閉塞部１３によりチューブ６の放射方向に閉じている。この気流ガイド要素Ｌ１の外側の閉塞部１３はガイド板の機能を担う。外側の閉塞部はウェブ１４を介してチューブ６を包囲するスリーブ１１のケーシングに接続している。外側の閉塞部１３はチューブ６のケーシング表面から距離を置いて、このチューブ６と同心円を描くように湾曲している。ウェブ１４と閉塞部１３の接続部と同様に、閉塞部前端１５には、特にスタイリングする毛髪を傷つけないように丸みがつけられている。気流ガイド要素Ｌ１により形成された流路１２は横方向に、つまりは剛毛列Ｂ１の方向に開いている。
【００１６】
気流ガイド要素Ｌ１が弓形形状をしていることにより、流路１２の背面に、ウェブ１４が外側閉塞部を形成するもう１つ別の流路１６が形成される（図示した実施例では流路１２より小さく描いた）。この流路１６は別の剛毛列Ｂ３の方向に開いている。
【００１７】
スリーブ１１と気流ガイド要素Ｌ１−Ｌ３は、アルミニウムから、例えば押し出し成形により製造する。
【００１８】
ヘアブラシ１の操作時、温風流１７は連結部２と気流ディバイダー３を通ってエアチャネル７内へ流入する。図１の矢印により概略的に示したように、温風流１７は気流ディバイダー３を通過して開口部４から１つの筒状気流１８となって流出し、該筒状気流は、気流ディバイダー３の開口部４の構成により、チューブ６のケーシング表面又はスリーブ１１のケーシングとほぼ同心状の気流となる。ヘアブラシ１のブラシ部５に一束の毛髪が巻きついた場合も、毛髪はチューブ６を同心状に包み込んでおり、気流ガイド要素Ｌ１−Ｌ３の外側の閉塞部の外側に接しており、該毛束は気流ガイド要素Ｌ１−Ｌ３によりスリーブ１１の表面から一定の距離に保持されている。従って、エアチャネル７からの排気口９が熱リザーバとして機能し、スタイリングされる毛髪の束に対して温風が供給される。同時に、剛毛列Ｂ１−Ｂ３の長手方向に平行な各気流ガイド要素Ｌ１−Ｌ３の流路１６内を流れる筒状の気流に、スタイリングする毛髪の束が曝される。筒状気流１８により伝達される熱はスタイリングする毛髪の幅全体を均一に暖めるのに十分である。排気口９及び流路１２，１６を流れる温風流が交わることにより乱流が発生し、それにより気流から毛髪への熱伝達が起こる。スリーブ１１、特に気流ガイド要素Ｌ１−Ｌ３をアルミニウムから形成することにより、ヘアブラシ１の操作の間、これらアルミニウム製の部品が流路１２，１６を流れる温風流により暖められ、その熱が、スタイリングする毛髪の束との接触面積が大きいことにより毛髪の束へと伝播するので、毛髪の加温が著しく促進される。
【００１９】
本発明の開示内容により、従来技術と比較して、開示されたスタイリング及びカール用ヘアブラシの操作が改善されているだけでなく、スタイリング効果も向上していることが明らかである。本明細書の実施例で開示したスタイリング及びカール用ヘアブラシでは剛毛列は固定されているが、本発明によるスタイリング及びカール用ヘアブラシの剛毛列を格納可能に設置して、スタイリングした毛髪の束又は毛髪の一部からヘアブラシを外すのに該剛毛列をチューブ内部に引き込むことも可能である。
【図面の簡単な説明】
【００２０】
【図１】スタイリング及びカール用ヘアブラシの概略側面図。
【図２】図１のヘアブラシの線Ａ−Ｂに沿った断面図。
【符号の説明】
【００２１】
１    ヘアブラシ
２    連結部
３    気流ディバイダー
４    開口部
５    ブラシ部
６    チューブ
７    エアチャネル
８    開口部
９    排気口
１０    テーパー
１１    スリーブ
１２    流路
１３    閉塞部
１４    ウェブ
１５    閉塞部
１６    流路
１７    温風流
１８    筒状気流
Ｂ１−Ｂ３    剛毛列
Ｌ１−Ｌ３    気流ガイド要素
【図１】
2004181241.tif 000003
【図２】
2004181241.tif 000004